(57)【特許請求の範囲】
【請求項１】
撮像手段により撮像された、表示手段を視聴者が視認可能な範囲の撮像画像を取得する取得手段と、
前記取得手段で取得した撮像画像から、前記表示手段の視聴者の画像を抽出する画像抽出手段と、
前記抽出手段で抽出した前記視聴者の画像を素材画像としてモザイク画像を生成する画像処理手段と、
前記画像処理手段によって、前記視聴者が視認可能な大きさの素材画像を用いて生成された第１のモザイク画像を前記表示手段に表示した後、前記撮像手段により撮像された撮像画像が特定の条件を満たすと、前記第１のモザイク画像よりも分割数を大きく、かつ前記素材画像のサイズを小さくして前記画像処理手段で生成した第２のモザイク画像を前記表示手段に表示するように制御する表示制御手段とを有することを特徴とする表示制御装置。
【請求項２】
撮像手段により撮像された撮像画像を取得する取得手段と、
前記取得手段によって取得した前記撮像画像に基づく画像を目標画像として、複数の素材画像よりなるモザイク画像を生成する画像処理手段と、
前記画像処理手段で生成した第１のモザイク画像を表示手段に表示した後、前記撮像手段により撮像された撮像画像が特定の条件を満たすと、前記第１のモザイク画像よりも分割数を小さく、かつ前記素材画像のサイズを大きくして前記画像処理手段で生成された第２のモザイク画像を前記表示手段に表示するように制御する表示制御手段とを有することを特徴とする表示制御装置。
【請求項３】
前記撮像手段により撮像された撮像画像から特定の被写体の画像を抽出する画像抽出手段を更に有し、前記取得手段によって取得した前記撮像画像に基づく画像は前記画像抽出手段により抽出された前記特定の被写体の画像であることを特徴とする請求項２に記載の表示制御装置。
【請求項４】
前記撮像画像は、前記撮像手段によって前記表示手段を視聴者が視認可能な範囲を撮像した画像であることを特徴とする請求項２または３に記載の表示制御装置。
【請求項５】
前記画像処理手段は、前記表示手段のサイズと、前記視聴者と前記表示手段との距離の少なくとも一方に基づいて決定された大きさの素材画像で前記第１のモザイク画像を生成することを特徴とする請求項１に記載の表示制御装置。
【請求項６】
前記特定の条件は、前記表示制御手段が前記第１のモザイク画像を表示してからの所定時間の経過であることを特徴とする請求項１乃至５の何れか１項に記載の表示制御装置。
【請求項７】
前記特定の条件は、前記撮像画像において特定の被写体が所定時間にわたり検知され続けることであることを特徴とする請求項１乃至５の何れか１項に記載の表示制御装置。
【請求項８】
前記特定の条件は、特定の被写体が所定の撮像エリア内に検知されることであることを特徴とする請求項１乃至５の何れか１項に記載の表示制御装置。
【請求項９】
前記特定の条件は、前記撮像手段によって撮像された被写体の特定のジェスチャーを認識することであることを特徴とする請求項１乃至５の何れか１項に記載の表示制御装置。
【請求項１０】
撮像手段により撮像された、表示手段を視聴者が視認可能な範囲の撮像画像を取得する取得ステップと、
前記取得ステップで取得した撮像画像から、前記表示手段の視聴者の画像を抽出する画像抽出ステップと、
前記抽出ステップで抽出した前記視聴者の画像を素材画像としてモザイク画像を生成する画像処理ステップと、
前記画像処理ステップによって、前記視聴者が視認可能な大きさの素材画像を用いて生成された第１のモザイク画像を前記表示手段に表示した後、前記撮像手段により撮像された撮像画像が特定の条件を満たすと、前記第１のモザイク画像よりも分割数を大きく、かつ前記素材画像のサイズを小さくして前記画像処理ステップで生成した第２のモザイク画像を前記表示手段に表示するように制御する表示制御ステップとを有することを特徴とする表示制御装置の制御方法。
【請求項１１】
撮像手段により撮像された撮像画像を取得する取得ステップと、
前記取得ステップによって取得した前記撮像画像に基づく画像を目標画像として、複数の素材画像よりなるモザイク画像を生成する画像処理ステップと、
前記画像処理ステップで生成した第１のモザイク画像を表示手段に表示した後、前記撮像手段により撮像された撮像画像が特定の条件を満たすと、前記第１のモザイク画像よりも分割数を小さく、かつ前記素材画像のサイズを大きくして前記画像処理ステップで生成された第２のモザイク画像を前記表示手段に表示するように制御する表示制御ステップとを有することを特徴とする表示制御装置の制御方法。
【請求項１２】
コンピュータを、請求項１乃至９のいずれか１項に記載された表示制御装置の各手段として機能させるプログラム。
【請求項１３】
コンピュータを、請求項１乃至９のいずれか１項に記載された表示制御装置の各手段として機能させるプログラムを格納したコンピュータが読み取り可能な記憶媒体。
【発明の詳細な説明】
【技術分野】
【０００１】
本発明は表示制御装置、表示制御装置の制御方法、プログラム及び記憶媒体に関し、特に、表示装置に閲覧者の関心を引きながら広告コンテンツ等を表示するデジタルサイネージに用いて好適な表示制御技術に関するものである。
【背景技術】
【０００２】
広告、案内等を表示する方法としては、看板や大型ディスプレイがある。また、近年は、ディスプレイの閲覧者に対応してコンテンツを表示する「デジタルサイネージ」といわれる広告表示が登場している。
【０００３】
特許文献１には、ディスプレイに沿って通行する人の近傍に所定のサイズのテキストおよび画像等の映像情報をその人の移動に従って表示する移動体付随情報表示装置の技術が開示されている。
また、閲覧者に対応したコンテンツ画像の生成技術として、特許文献２には、ユーザの画像データをピクト画像に変換し、予め用意されたテンプレート画像に当てはめて実画像に完成させる技術が開示されている。
また、特許文献３には、複数の画像間の比較から特定被写体を抽出する方法が開示されている。
【先行技術文献】
【特許文献】
【０００４】
【特許文献１】特開２００５−１１５２７０号公報
【特許文献２】特開２００４−３００７６号公報
【特許文献３】特開平９−１８６９３６号公報
【発明の概要】
【発明が解決しようとする課題】
【０００５】
特許文献１にて提案された移動体付随情報表示装置は、表示するコンテンツ自体を閲覧者に対応したものとする技術は開示されないため、閲覧者の興味や注目を引きにくいという問題がある。
また、特許文献２にて開示された画像表示方法においては、ユーザの画像データによりコンテンツ画像を構成するため、コンテンツ画像をユーザに対応したものとすることが可能である。
【０００６】
しかし、多数のユーザ画像データでコンテンツ画像を生成した場合には、一つ一つのユーザ画像が相対的に小さくなり、表示される映像がユーザに対応したものと感じさせることが難しい。他方、一つ一つのユーザ画像を大きくしてコンテンツ画像を生成した場合には、コンテンツ画像が不明確となって、広告や情報伝達の効果が小さくなるという問題点があった。
本発明は前述の問題点に鑑み、閲覧者の興味・注目を引きながら、広告等の提示したい情報を明確に表示することが可能な表示制御装置を提供できるようにすることを目的とする。
【課題を解決するための手段】
【０００７】
本発明の表示制御装置は、撮像手段により撮像された、表示手段を視聴者が視認可能な範囲の撮像画像を取得する取得手段と、前記取得手段で取得した撮像画像から、前記表示手段の視聴者の画像を抽出する画像抽出手段と、前記抽出手段で抽出した前記視聴者の画像を素材画像としてモザイク画像を生成する画像処理手段と、前記画像処理手段によって、前記視聴者が視認可能な大きさの素材画像を用いて生成された第１のモザイク画像を前記表示手段に表示した後、前記撮像手段により撮像された撮像画像が特定の条件を満たすと、前記第１のモザイク画像よりも分割数を大きく、かつ前記素材画像のサイズを小さくして前記画像処理手段で生成した第２のモザイク画像を前記表示手段に表示するように制御する表示制御手段とを有することを特徴とする。
【発明の効果】
【０００８】
本発明によれば、閲覧者（視聴者）の興味及び注目を引きながら、提示したい情報をより印象的に認識させることができる。
【図面の簡単な説明】
【０００９】
【図１】本発明の実施形態を示し、表示制御装置の構成例を表すブロック図である。
【図２】第１の実施形態による表示制御装置の使用状態を示す外観図である。
【図３】第１の実施形態における判断処理の流れを示すフローチャートである。
【図４】第２の実施形態における判断処理の流れを示すフローチャートである。
【図５】第２の実施形態による表示制御装置の使用状態を示す外観図である。
【発明を実施するための形態】
【００１０】
（第１の実施形態）
本発明が適用可能な実施形態による表示制御装置の構成例を、図１のブロック図を参照して説明する。
図１において、１１はカメラ部、１２はディスプレイ、１３は外部Ｉ／Ｆ、１４は記憶媒体、１５はＣＰＵ、１６はワークメモリである。
【００１１】
第１の実施形態による表示制御装置１０は、カメラ部１１により閲覧者を撮像し、記憶媒体１４より広告等の情報伝達すべき画像を読みだす。そして、ＣＰＵ１５における処理により、前記情報伝達すべき画像を目標画像として前記撮像した閲覧者の画像を素材画像とするモザイク画像を生成し、ディスプレイ１２に表示する。
【００１２】
ここで、多数の写真をモザイクのように組み合わせて作成した画像のことをモザイク画像、あるはフォトモザイクと称する。モザイク画像は、複数の小さな画像（以下、素材画像）を並べて１つの大きな画像（以下、目標画像）として見えるようになっている。閲覧者が全体を見ると一つの大きな画像（目標画像）として視認でき、モザイク画像に接近するなどして詳細に見ると目標画像の要素となっている一つ一つの素材画像が視認できる。
【００１３】
図２は、本発明の第１の実施形態による表示制御装置１０の使用状態を示す外観図である。図２におけるカメラ部２１、ディスプレイ２２は、それぞれ図１のカメラ部１１、ディスプレイ１２に相当する。また、ＰＣ２３は図１の外部Ｉ／Ｆ１３、記憶媒体１４、ＣＰＵ１５、ワークメモリ１６を備えたパーソナルコンピュータである。図示のように、カメラ部２１は、視聴者がディスプレイ２２を視認可能な範囲を撮像する。
【００１４】
図２（ａ）において、ＰＣ２３は、カメラ部２１が撮像した撮像画像から抽出した閲覧者２７の画像（この例の場合は、閲覧者２７の顔画像）を素材画像２５としている。また、情報伝達すべき画像を目標画像とするモザイク画像２６ａ（第１のモザイク画像）を、１００程度の小さな（粗い）分割数で生成し、ディスプレイ２２に表示している。
【００１５】
情報伝達すべき画像とは、例えば広告として閲覧者２７に宣伝したい内容であり、予め記憶媒体１４に記録されている画像である。例えば、カメラメーカーであればカメラの外観の画像などが閲覧者２７に宣伝したい広告画像として考えられる。本実施形態では、情報伝達すべき画像として、カメラの画像を例にとって説明する。
【００１６】
図２（ａ）のような表示を行うと、閲覧者２７がディスプレイ２２に自分の顔が大きく写っていることから、ディスプレイ２２に対する閲覧者２７の注目・関心をひきやすい。小さな分割数でのモザイク画像２６ａを表示してから一定の時間が経過するなどして、閲覧者２７の関心をある程度ひきつけられたと推定される所定の条件を充足すると、図２（ｂ）に遷移する。なお、分割数についての詳細は後述する。
【００１７】
図２（ｂ）は、図２（ａ）よりも分割数を大きく、すなわち素材画像２５のそれぞれを小さくし、目標画像をより高精細に表現したモザイク画像２６ｂ（第２のモザイク画像）をディスプレイ２２に表示した例である。これにより、閲覧者２７は、図２（ａ）の状態よりは、自分の画像で一体何が表現されようとしているのかを認識しやすくなる。アニメーションをしながら分割数はだんだんと大きくなり、素材画像２５はだんだんと小さく、目標画像はだんだんと高精細に視認できるようになっていき、最終的に図２（ｃ）のようなモザイク画像が表示される。
【００１８】
図２（ｃ）は、分割数を上限値まで大きくしたことにより、素材画像が十分に小さく、目標画像が十分に高精細に視認されるモザイク画像２６ｃを表示した例である。図２（ｃ）は、図面の都合上、モザイク画像２６ｃを目標画像の線図で図示している。しかし、実際には小さな素材画像２５（閲覧者２７の顔画像）で構成されており、十分に近寄ってみれば線図ではなく、素材画像２５の集合であることが視認できるものとする。
【００１９】
閲覧者２７は自分の顔画像がだんだんと小さくなっていき、最終的に自分の顔画像で目標画像であるカメラの外観図が表現されていることを確実に認識することができる。これにより、閲覧者２７に興味と関心をもって目標画像を視認させることができる。
【００２０】
図２（ａ）〜（ｃ）で説明した表示を実現する具体的な処理について説明する。
図３は、本発明の第１の実施形態による表示制御装置１０における判断処理の流れを示すフローチャートである。図３の処理は、記憶媒体１４に記録されたプログラムを、ＣＰＵ１５がワークメモリ１６に展開して実行することで実現する。
【００２１】
Ｓ３０１では、ＣＰＵ１５は、記憶媒体１４より情報伝達すべき画像を読み出す。
Ｓ３０２では、カメラ部１１を制御してカメラ部１１に撮像を行わせ、カメラ部１１で撮像した撮像画像を取得する。
Ｓ３０３では、Ｓ３０２で撮像した画像から人物等の特定の被写体の画像を抽出する。抽出する被写体は、前述したモザイク画像を閲覧しているであろう被写体であることが好ましい。画像抽出の技術としては、たとえば特許文献３が特定被写体と背景の画像との比較により行うものを開示するなど、種々多様な技術が実用可能に提供されており、そのいずれを用いるものであっても差支えない。なお、Ｓ３０３の処理を省き、Ｓ３０２で取得した撮像画像をそのまま後述する処理で素材画像としても良い。
【００２２】
Ｓ３０４では、前記情報伝達すべき画像を目標画像として、Ｓ３０３で抽出した特定の被写体の画像を素材画像（要素）とするモザイク画像を、分割数Ｄで生成する。分割数とは、目標画像を何個の素材画像で表現するかを表す変数である。Ｓ３０４では、初期値として予め記憶されている分割数となる。例えば、分割数が５００であれば、５００個の素材画像を用いてモザイク画像を生成し、分割数が２０００であれば２０００個の素材画像を用いてモザイク画像を生成する。
【００２３】
すなわち、分割数が小さいほどモザイク画像は粗く、目標画像が視認し難い。逆に分割数が大きいほどモザイク画像は高精細であり、目標画像が視認しやすいものとなる。また、本実施形態では、目標画像の大きさは分割数に関わらず一定としている。そのため、分割数が小さければ各素材画像の大きさは大きく、分割数が大きければ各素材画像の大きさは小さくなる。従って、分割数が小さいほど素材画像自体は大きくて視認しやすく、分割数が大きいほど素材画像自体の大きさが小さくて視認しにくいものとなる。
【００２４】
本実施形態での分割数Ｄの初期値は、素材画像が十分に視認できる大きさとなるように定められた値であり、例えば３０〜１００程度である。なお、素材画像が十分に視認できる大きさとなるかどうかはディスプレイ２２の表示サイズ、及び閲覧者２７とディスプレイ２２との間の距離に応じて異なる。従って、異なる複数の初期値を記憶しておき、ディスプレイ２２の表示サイズと、閲覧者２７とディスプレイ２２の距離の少なくとも一方に応じて使い分けるようにすればより好適である。
【００２５】
Ｓ３０５では、Ｓ３０４で生成したモザイク画像をディスプレイ２２に表示する。
Ｓ３０６では、Ｓ３０５でモザイク画像の表示を開始してから所定時間ｔ０（数秒程度）が経過したか否かを判定する。モザイク画像の表示を開始してから所定時間ｔ０が経過したと判定した場合はＳ３０７に進み、そうでない場合はｔ０が経過するのを待つ。
【００２６】
Ｓ３０６の判定は、モザイク画像を表示したことにより、閲覧者２７の関心をある程度引いた状態で、閲覧者２７の関心を引いたままモザイク画像を更新するのに好適であると想定されるタイミングを計る目的の判定である。本実施形態では所定時間ｔ０が経過したか否かを判定しているが、閲覧者２７の関心を引いたままモザイク画像を更新するのに好適であると想定されるタイミングの判定となれば他の条件でもよい。
【００２７】
例えば、カメラ部２１で撮像可能な所定の撮像エリア内の閲覧者２７の滞在時間が所定の時間に達した（所定の被写体が所定時間にわたり検知され続けた場合）という条件や、ディスプレイ２２への近接を検知したことを条件とすることが考えられる。他にも、カメラ部２１で撮像されている被写体（閲覧者と想定される被写体）の身振り・手振りなどの特定のジェスチャー、表情の変化、発声などを検知することを条件としてもよい。
【００２８】
Ｓ３０７では、モザイク画像の分割数Ｄを、所定倍率ｎ（ｎは１より大きい）を掛けて更新する。なお、分割数Ｄを増やす処理であれば、所定倍率ｎを掛ける以外の方法でもよい。
Ｓ３０８では、Ｓ３０７で更新した分割数Ｄによりモザイク画像を生成する。これにより、それまでのモザイク画像よりは高精細で、目標画像が視認しやすく、素材画像が視認し難いモザイク画像が生成される。
【００２９】
Ｓ３０９では、Ｓ３０８で生成したモザイク画像をディスプレイ２２に表示する。
Ｓ３１０では、分割数Ｄが、予め定められた上限値Ｄmax以上となったか否かを判定する。Ｄmax以上となっていた場合はＳ３１２に進み、Ｄmaxに達していない場合はＳ３１１に進む。
Ｓ３１１では、モザイク画像の更新期間分の時間（数十msec程度）待機し、その後Ｓ３０７に進み、分割数Ｄを更に増やして処理を繰り返す。
【００３０】
このように、Ｓ３０７〜Ｓ３１１の処理を繰り返すことで、モザイク画像における素材画像（被写体の画像）がだんだんと小さくなっていき、だんだん目標画像（情報伝達すべき画像）が高精細に視認されるようなアニメーション表示となる。目標画像が十分高精細に視認できるようになったところで分割数Ｄが上限値Ｄmaxに達し、アニメーションは止まる（Ｓ３１０でＹｅｓ）。
【００３１】
Ｓ３１２では、分割数Ｄが上限値Ｄmax以上となった状態、すなわち高精細なモザイク画像の表示を解除すべき所定の条件（解除条件）を満たすか否かを判定する。解除条件を満たしていない場合は高精細なモザイク画像の表示を継続し、解除条件が満たされた場合は、Ｓ３０２に進み、分割数を初期値に戻して処理を繰り返す。
【００３２】
解除条件としては、例えば、分割数Ｄが上限値Ｄmax以上となった高精細なモザイク画像を表示した後、一定の時間が経過したことを解除条件にする。また、閲覧者と想定される被写体がカメラ部３１の撮像領域から外れたことや、閲覧者と想定される被写体の所定の身振り・手振りなどのジェスチャー、表情の変化、発声があったことなどを撮像画像等から検出したことを条件としてもよい。
【００３３】
以上のように、本発明の第１の実施形態によれば、まず素材画像である閲覧者の画像がわかるように少ない分割数によりモザイク画像を構成する。そして、所定時間の経過など閲覧者の関心が推定される所定の条件を満たしたとき、分割数を大きくして広告等の目標画像を精細に表示する。即ち、まず閲覧者の画像を表示することで、閲覧者の興味・注目をひき、次いで広告等の目標画像を精細に表示することで、目標画像の情報を明確に伝達する。このことにより、閲覧者の興味・注目を引きながら、広告等の提示したい情報を伝達する効果を奏し、たとえば広告に利用した場合に広告効果を大きくすることができる。
【００３４】
（第２の実施形態）
本発明の第２の実施形態の表示制御装置は、前述した第１の実施形態とは目的を同じとするが、構成を逆にした例で、素材画像が「カメラ画像」であり、目標画像が「被写体画像」である。本実施形態の画像処理装置の構成は、第１の実施形態で示した図１と同様の構成で実現可能であるため、装置構成の説明は省略する。
【００３５】
図４は、本発明の第２の実施形態による表示制御装置１０における判断処理の流れを示すフローチャートである。図４の処理は、記憶媒体１４に記録されたプログラムをＣＰＵ１５がワークメモリ１６に展開して実行することで実現する。
Ｓ４０１では、ＣＰＵ１５は、記憶媒体１４より情報伝達すべき画像を読み出す。
Ｓ４０２では、カメラ部１１を制御してカメラ部１１に撮像を行わせ、ＣＰＵ１５は撮像された撮像画像を取得する。
【００３６】
Ｓ４０３では、前述した情報伝達すべき画像を素材画像とし、カメラ部１１で撮像された画像を目標画像とするモザイク画像を分割数Ｄで生成する。分割数とは、目標画像を何個の素材画像で表現するかを表す変数である。Ｓ４０３では、初期値として予め記憶されている分割数となる。
【００３７】
第２の実施形態での分割数Ｄの初期値は、目標画像が十分に視認できる大きさとなるように定められた値であり、例えば１，０００以上である。なお、目標画像が十分に視認できる大きさとなるかどうかはディスプレイ１２の表示サイズ、及び閲覧者とディスプレイ１２の間の距離に応じて異なる。従って、異なる複数の初期値を記憶しておき、ディスプレイ１２の表示サイズと、閲覧者とディスプレイ１２の距離の少なくとも一方に応じて使い分けるようにすればより好適である。
【００３８】
Ｓ４０４では、Ｓ４０３で生成したモザイク画像をディスプレイ１２に表示する。
Ｓ４０５では、Ｓ４０４でモザイク画像の表示を開始してから所定時間ｔ０（数秒程度）が経過したか否かを判定する。モザイク画像の表示を開始してから所定時間ｔ０が経過したと判定した場合はＳ４０６に進み、そうでない場合は所定時間ｔ０が経過するのを待機する。
【００３９】
Ｓ４０５の判定は、モザイク画像を表示したことにより、閲覧者の関心をある程度引いた状態で、閲覧者の関心を引いたままモザイク画像を更新するのに好適であると想定されるタイミングを計る目的の判定である。本実施形態では所定時間ｔ０が経過したか否かを判定しているが、閲覧者の関心を引いたままモザイク画像を更新するのに好適であると想定されるタイミングの判定であれば他の条件でもよい。
【００４０】
例えば、カメラ部１１で撮影可能な所定のエリア内の閲覧者の滞在時間が所定の時間に達したという条件や、ディスプレイ１２への近接を検知したことを条件とすることが考えられる。他にも、カメラ部１１で撮像されている被写体（閲覧者と想定される被写体）の身振り・手振りなどのジェスチャー、表情の変化、発声などを検知することを条件としてもよい。
【００４１】
Ｓ４０６では、モザイク画像の分割数Ｄを、所定倍率（１／ｎ）を掛けて更新する（ｎは１より大きい）。なお、分割数Ｄを減らす処理であれば、所定倍率（１／ｎ）を掛ける以外の方法でもよい。
Ｓ４０７では、Ｓ４０６で更新した分割数Ｄによりモザイク画像を生成する。これにより、それまでのモザイク画像よりは粗い、素材画像が視認しやすく、目標画像が視認し難いモザイク画像が生成される。
【００４２】
Ｓ４０８では、Ｓ４０７で生成したモザイク画像を表示する。
Ｓ４０９では、分割数Ｄが、予め定められた最少分割数Ｄｍｉｎ以下となったか否かを判定する。最少分割数Ｄｍｉｎとなっていた場合はＳ４１１に進み、最少分割数Ｄｍｉｎ以下でない場合はＳ４１０に進む。
Ｓ４１０では、モザイク画像の更新期間分の時間（数十msec程度）待機し、その後Ｓ４０６に進み、分割数Ｄを更に減らして処理を繰り返す。
【００４３】
このようにＳ４０６〜Ｓ４１０の処理を繰り返すことで、モザイク画像における素材画像（情報伝達すべき画像）がだんだんと大きくなっていき、だんだん目標画像（情報伝達すべき画像）が高精細に視認されるようなアニメーション表示となる。素材画像が十分高精細に視認できるようになったところで最少分割数Ｄｍｉｎに達し、アニメーションは止まる（Ｓ４０９でＹｅｓ）。
【００４４】
Ｓ４１１では、分割数Ｄが最少分割数Ｄｍｉｎ以下となった状態、すなわちモザイク画像の表示を解除すべき所定の条件（解除条件）を満たすか否かを判定する。解除条件を満たしていない場合はモザイク画像の表示を継続し、解除条件が満たされた場合は、Ｓ４０２に進み、分割数を初期値に戻して処理を繰り返す。
【００４５】
解除条件としては、例えば、分割数Ｄが最少分割数Ｄｍｉｎ以下となったモザイク画像を表示した後、一定の時間が経過したことを解除条件とすることができる。また、他にも撮像中に、閲覧者がカメラ部１１の撮像領域から外れたことや、閲覧者の所定の身振り・手振りなどのジェスチャー、表情の変化、発声があったこと、などを条件とすることができる。
【００４６】
図５は、本発明の第２の実施形態による表示制御装置１０の使用状態を示す外観図である。
図５におけるカメラ部５１、ディスプレイ５２は、それぞれ図１のカメラ部１１、ディスプレイ１２に相当する。また、ＰＣ５３は図１のＩ／Ｆ１３、記憶媒体１４、ＣＰＵ１５、ワークメモリ１６を備えたパーソナルコンピュータである。図示のように、カメラ部５１は、視聴者がディスプレイ５２を視認可能な範囲を撮像する。
【００４７】
図５（ａ）において、ＰＣ５３は、カメラ部５１が撮像した画像を目標画像とし、カメラ広告の画像を素材画像とするモザイク画像５６ａをディスプレイ５２に表示した例である。目標画像は撮像した画像から抽出された、モザイク画像を閲覧しているであろう被写体などの特定の被写体の画像であるとなおよい。モザイク画像５６ａは比較的大きな（細かい）分割数で生成されている。図５（ａ）は図面の都合上、モザイク画像５６ａを目標画像の線図で図示しているが、実際には小さな素材画像５５（カメラ画像）で構成されており、十分に近寄ってみれば、線図ではなく素材画像５５の集合であることが視認できるものとする。
【００４８】
図５（ａ）のような表示を行うと、閲覧者５７がディスプレイ５２に自分の顔が大きく写っていることから、ディスプレイ５２に対する閲覧者５７の注目・関心をひきやすい。モザイク画像５６ａを表示して一定の時間が経過するなど、閲覧者５７の関心をある程度引きつけられたと推定される所定の条件を充足すると、図５（ｂ）に推移する。
【００４９】
図５（ｂ）では、図５（ａ）よりも分割数を小さく、すなわち、素材画像５５のそれぞれを大きくし、閲覧者５７が一つ一つの素材画像を視認するのに十分な程度の小さな（粗い）分割数としたモザイク画像５６ｂ（第２のモザイク画像）が表示されている。
【００５０】
以上のように、本発明の第２の実施形態によれば、まず目標画像である閲覧者５７の画像が分かるように大きい（細かい）分割数によりモザイク画像５６ａを構成する。そして、所定時間の経過などして閲覧者５７の関心が推定される所定の条件を満たしたとき、分割数を小さくして、広告等の素材画像が明確に視認できるように表示する。
【００５１】
即ち、まず閲覧者５７を表していることが識別容易なモザイク画像５６ａを表示することで、閲覧者５７の興味・注目をひく。次いで、そのモザイク画像が広告等の素材画像の集合で出来ていることが閲覧者５７に分かるようなモザイク画像５６ｂを表示することで、素材画像の情報を伝達する。このことにより、閲覧者５７の興味・注目を引きながら、広告等の提示したい情報を閲覧者５７に伝達する効果を奏し、たとえば広告に利用した場合に広告効果を得ることができる。
【００５２】
なお、ＣＰＵ１５の制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、前述した各実施形態は本発明の一実施形態を示すものにすぎず、各実施形態を適宜組み合わせることも可能である。
【００５３】
前述の各実施形態では、電子看板にモザイク画像を利用して、宣伝したい画像をより効果的に注目させるための利用方法を説明したが、閲覧者に対してより確実に閲覧させるべき画像をモザイク画像を利用して表示するものであれば他の場面で適用してもよい。また、装置としても前述のようなシステム構成に限られるものではなく、撮像装置で撮像した画像をディスプレイに表示できるものであれば他の装置でも適用可能である。
【００５４】
例えば、カメラ付きパーソナルコンピュータやカメラ付きＰＤＡ、カメラ付き携帯電話端末やカメラ付きデジタルフォトフレーム、カメラ付き音楽プレーヤー、カメラ付きゲーム機、カメラ付き電子ブックリーダー、カメラ付き自動販売機などに適用可能である。
【００５５】
また、ユーザを撮像するカメラ付きのパーソナルコンピュータにおいて、撮像したユーザの画像を第１の実施形態における素材画像、または第２の実施形態における目標画像とし、パーソナルコンピュータのモニタ上で前述の各実施形態のような表示を行ってもよい。この時、情報伝達すべき画像としては、インターネットを介して取得された広告画像の他、ユーザが設定したお気に入りの画像、備忘録としての画像、各種警告をするための画像などが想定できる。
【００５６】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）が記憶媒体に格納されたプログラムを読み出して実行する処理である。
【符号の説明】
【００５７】
１０  表示制御装置、１１カメラ部、１２  ディスプレイ、１３  外部Ｉ／Ｆ、１４  記憶媒体、１５  ＣＰＵ、１６  ワークメモリ
【図１】
0005932253.tif 000002
【図２】
0005932253.tif 000003
【図３】
0005932253.tif 000004
【図４】
0005932253.tif 000005
【図５】
0005932253.tif 000006